(57)【要約】【課題】  回転部の機構をシンプルな構成とするとともに、表示部の位置を変えてもデザイン上の特徴を崩すことなく観者に違和感を与えさせない外観を保つことのできる表示装置を提供する。【解決手段】  本発明の表示装置1は、略長方形の表示画面20を有する表示部2と、表示画面20の下辺における頂点の一つの近傍に配置される回転軸と、表示部2を支持する支持台3と、を備え、回転軸の近傍における表示部2の隅部から延在する保持アーム21と支持台3の基部30から斜め上方へ延在する接続アーム31とが回転軸により枢結され、回転軸は、表示画面20の正面視、側面視及び平面視の何れにおいても表示画面20に対して所定の角度をもって配設されていることを特徴とする。【選択図】    図１
2011013319.tif 000002
【特許請求の範囲】
【請求項１】
略長方形の表示画面を有する表示部と、
前記表示画面の下辺における頂点の一つの近傍に配置される回転軸と、
前記表示部を支持する支持台と、を備え、
前記回転軸の近傍における前記表示部の隅部から延在する保持アームと前記支持台の基部から斜め上方へ延在する接続アームとが前記回転軸により枢結され、
前記回転軸は、前記表示画面の正面視、側面視及び平面視の何れにおいても前記表示画面に対して所定の角度をもって配設されていることを特徴とする表示装置。
【請求項２】
前記保持アームは、前記表示部の隅部から斜め下方に延在し、更に後方へ向って曲がるように延在していることを特徴とする請求項１に記載の表示装置。
【請求項３】
前記保持アームは、前記表示画面の上下辺に対して略４５度の斜め下方に延在し、前記接続アームは、載置面に対して略４５度の斜め上方に延在していることを特徴とする請求項１又は請求項２に記載の表示装置。
【請求項４】
前記保持アームは、当該保持アームの裏面が前記接続アームの外面と対向するように、前記接続アームに枢結されて、前記保持アームの裏面及び前記接続アームの外面が回転面として回動可能とされていることを特徴とする請求項１乃至請求項３の何れかに記載の表示装置。
【請求項５】
前記回転軸は、正面視において前記表示画面の上下辺に対して略４５度の角度であって、平面視において前記表示画面に対して２０乃至３０度の角度、且つ、側面視において前記表示画面に対して２０乃至３０度の角度となるように配設されていることを特徴とする請求項１乃至請求項４の何れかに記載の表示装置。
【請求項６】
前記支持台の基部は、平面視において略円形状となるように形成されていることを特徴とする請求項１乃至請求項５の何れかに記載の表示装置。
【請求項７】
前記表示部における表示画面の周囲には、タッチパネルが配設されていることを特徴とする請求項１乃至請求項６の何れかに記載の表示装置。
【発明の詳細な説明】
【技術分野】
【０００１】
本発明は、記憶媒体に記憶された画像又は動画を表示する表示装置に関する。
【背景技術】
【０００２】
今日、デジタルスチルカメラやデジタルビデオカメラによって撮影された画像や動画をメモリカード等の記憶媒体に記憶させて、この記憶媒体に記憶されているデータ等をディスプレイに表示する表示装置としてのデジタルフォトスタンド（電子写真立て）が多用されている。
【０００３】
このようなデジタルフォトスタンドにおいて、表示画面が横長や縦長となるように表示部を変更させることのできる提案が多々なされている。例えば、特開２０００−２９３１１１号公報（特許文献１）では、表示部が本体に対して回転自在に支持され、表示画像の表示方向に対応して自動的に表示部を回転させることのできる表示装置の提案がなされている。
【先行技術文献】
【特許文献】
【０００４】
【特許文献１】特開２０００−２９３１１１号公報
【発明の概要】
【発明が解決しようとする課題】
【０００５】
特許文献１の提案は、表示部を自動で回転駆動させて、表示画像の表示方向（横長或いは縦長）に対応した画像を表示部に無駄なく表示させることができるが、その機構が複雑となり重量やコストの増加を招くといった問題点があった。また、この提案は、表示部の略中央に配設される軸を中心にして当該表示部を回転させているため、表示部が回転したときに観者に対してデザイン上の違和感を与えてしまうといった問題点もあった。
【０００６】
本発明は、このような従来技術の問題点に鑑みてなされたものであり、回転部の機構をシンプルな構成とするとともに、表示部の表示方向（横長或いは縦長）を変えてもデザイン上の特徴を崩すことなく観者に違和感を与えさせない外観を保つことのできる表示装置を提供することを目的としている。
【課題を解決するための手段】
【０００７】
本発明の表示装置は、略長方形の表示画面を有する表示部と、前記表示画面の下辺における頂点の一つの近傍に配置される回転軸と、前記表示部を支持する支持台と、を備え、前記回転軸の近傍における前記表示部の隅部から延在する保持アームと前記支持台の基部から斜め上方へ延在する接続アームとが前記回転軸により枢結され、前記回転軸は、前記表示画面の正面視、側面視及び平面視の何れにおいても前記表示画面に対して所定の角度をもって配設されていることを特徴とする。
【０００８】
前記保持アームは、前記表示部の隅部から斜め下方に延在し、更に後方へ向って曲がるように延在している。
【０００９】
そして、前記保持アームは、前記表示画面の上下辺に対して略４５度の斜め下方に延在し、前記接続アームは、載置面に対して略４５度の斜め上方に延在していることが好適である。
【００１０】
また、前記保持アームは、当該保持アームの裏面が前記接続アームの外面と対向するように、前記接続アームに枢結されて、前記保持アームの裏面及び前記接続アームの外面が回転面として回動可能とされている。
【００１１】
そして、前記回転軸は、正面視において前記表示画面の上下辺に対して略４５度の角度であって、平面視において前記表示画面に対して２０乃至３０度の角度、且つ、側面視において前記表示画面に対して２０乃至３０度の角度となるように配設されていることが好適である。
【００１２】
更に、前記支持台の基部は、平面視において略円形状となるように形成されていることが好適である。
【００１３】
また、前記表示部における表示画面の周囲には、タッチパネルが配設されていることもある。
【発明の効果】
【００１４】
本発明によれば、回転部の機構をシンプルな構成とするとともに、表示部の表示方向（横長或いは縦長）を変えてもデザイン上の特徴を崩すことなく観者に違和感を与えさせない外観を保つことのできる表示装置を提供することができる。
【図面の簡単な説明】
【００１５】
【図１】本発明の実施例に係る表示装置を示す外観図である。
【図２】本発明の実施例に係る表示装置の正面図及び背面図である。
【図３】本発明の実施例に係る表示装置の回転軸の配置角度を表す模式図である。
【図４】本発明の実施例に係る表示装置の表示画面の切り換え動作を示す説明図である。
【図５】本発明の実施例に係る表示部を縦方向に配した状態を示す表示装置の正面図である。
【図６】本発明の実施例に係る表示方向切り換え前後の表示装置を示す平面図である。
【発明を実施するための形態】
【００１６】
以下、本発明を実施するための形態について述べる。表示装置1は、略長方形の表示画面20を有する表示部2と、表示画面20の下辺における頂点の一つの近傍に配置される回転軸と、表示部2を支持する支持台3と、を備える。
【００１７】
そして、回転軸の近傍における表示部2の隅部から延在する保持アーム21と支持台3の基部30から載置面に対して略４５度となる斜め上方へ延在する接続アーム31とが回転軸により枢結されて、表示部2が回転軸の軸心Xを中心として回動可能に支持台3により支持されている。
【００１８】
この回転軸は、表示画面20の正面視、側面視及び平面視の何れにおいても表示画面20に対して所定の角度をもって配設されている。
【００１９】
具体的には、回転軸は、その軸心Xが正面視において表示画面20の上下辺に対して略４５度の角度であって、平面視において表示画面20に対して略２５度の角度、且つ、側面視において表示画面20に対して略２５度の角度となるように配設されている。
【００２０】
保持アーム21は、表示画面20の上下辺に対して略４５度となる斜め下方に向って表示部2の隅部から延在し、更に後方へ向って曲がるように延在している。
【００２１】
また、保持アーム21は、当該保持アーム21の裏面が接続アーム31の外面と対向するように、接続アーム31に枢結されて、保持アーム21の裏面及び接続アーム31の外面が回転面として回動可能とされている。
【００２２】
そして、この表示装置1は、支持台3の基部30が平面視において略円形状となるように形成されているため、表示画面20の表示方向（横長或いは縦長）を切り換えたときにも、デザイン上の特徴が保持されて、観者に違和感を与えさせない外観を保つことができる。
【００２３】
更に、表示部2の表示画面20に対する側面に相当する面において、横長方向にタッチパネル24aが、縦長方向にタッチパネル24bが夫々配設されている。
【実施例】
【００２４】
以下、本発明の実施例を図に基づいて詳説する。図１は、表示装置1を示す外観図である。そして、図２（ａ）及び図２（ｂ）は、表示装置1の正面図及び背面図である。尚、本実施例において、左右とは観者が表示画面20を正面から見たときの左右方向を示し、前後とは観者が表示画面20を正面から見たときの手前側を前方、奥側を後方とする。
【００２５】
この表示装置1は、図１及び図２に示すように、アスペクト比を１６：９とする長方形の表示画面20を有する表示部2と、表示画面20の下辺における頂点の一つの近傍に配置される回転軸と、表示部2を支持する支持台3と、を備えている。
【００２６】
表示部2は、薄型且つ軽量の７インチの液晶ディスプレイであり、回転軸の近傍における表示部2の隅部から延在する保持アーム21を有している。また、表示部2における表示画面20の上側側面にはタッチパネル24aが、右側側面にはタッチパネル24bが夫々配設されている。
【００２７】
このタッチパネル24a、24bは、夫々、接触検出用の入力装置として用いられるものであり、手指やスタイラス等によって接触入力された位置を検出して、制御部に当該検出信号を送出するものである。尚、タッチパネル24a、24bは、図示した位置に限ることなく、観者が表示画面20を見ながら操作することができる位置であれば、任意に設置することができる。
【００２８】
支持台3は、内部に電源としての充電池や制御部、画像処理部、着脱自在の記憶媒体を装着させるメモリ挿入部等を有する中空の略短円柱体である基部30と、保持アーム21に枢結される接続アーム31と、から成る。内蔵される制御部は、表示装置1の各回路の動作制御を司るものであって、ＣＰＵや各種セッティング等の動作プログラムを固定的に記憶したＲＯＭ及びワークメモリとして使用されるＲＡＭ等により構成される。
【００２９】
また、制御部は、表示部2の配置状態に応じて、記憶媒体に記憶された画像や動画情報に基づき、画像処理部によって液晶表示素子を駆動させて、表示部2の表示画面20に適した画像を表示させる。尚、表示部2の配置状態は、表示部2と支持台3の接続部である回転部に設けられる検出手段からの信号に基づいて制御部が判断する。
【００３０】
そして、接続アーム31は、支持台3の載置面に対して略４５度となるように、基部30から斜め上方へ延在している。
【００３１】
そして、図示する軸心Xを回転中心とする回転軸は、表示部2の保持アーム21と支持台3の接続アーム31とを枢結するものであり、表示画面20の正面視、側面視及び平面視の何れにおいても表示画面20に対して所定の角度をもって配設されている。
【００３２】
回転軸の表示画面20に対する配置角度について、図３を参照して説明する。図３は、表示画面20を正面、側面及び上面側から見たときの表示画面20に対する回転軸の配置角度（軸心Xの配置角度）を表す模式図である。
【００３３】
この回転軸は、図３に示すように、正面視においては、表示画面20の上下辺と当該軸心Xのなす角ψが略４５度となるように配置されている。また、この回転軸は、平面視においては、表示画面20の面と（即ち、上下辺と）当該軸心Xのなす角αが略２５度となるように配置されている。更に、この回転軸は、側面視においては、表示画面20の面と（即ち、左右辺と）当該軸心Xのなす角βが略２５度となるように、表示画面20の下辺における頂点の一つの近傍に配置されている。
【００３４】
尚、回転軸の配置角度は、上記に限定されることはないが、なす角ψが４０〜５０度、なす角α及びβが２０〜３０度となるように設定することで、表示画面20の表示方向（横長或いは縦長）を変更したときにおいても、安定して配置しやすく、且つ、変更前後における外観デザイン上の特徴を維持することができるため好適である。
【００３５】
そして、保持アーム21は、図１及び図２に示したように、表示画面20の上下辺に対して略４５度となるように、表示部2の隅部から斜め下方に延在し、更に後方へ向って曲がるように延在している。
【００３６】
また、保持アーム21は、当該保持アーム21の裏面が接続アーム31の外面と対向するように、接続アーム31に枢結されて、保持アーム21の裏面及び接続アーム31の外面が回転面として回動可能とされている。以上のように、表示装置1を構成することで、表示画面20が横長となる配置状態から表示画面20が縦長となる配置状態へと変換させることができる。この表示画面20の切り換え動作を、図４を参照して説明する。
【００３７】
図４は、本発明の実施例に係る表示装置1の表示画面20の切り換え動作を示す説明図であり、横長の配置状態とされた表示画面20及び縦長の配置状態とされた表示画面20を模式的に表している。そして、図４に示すように、表示画面20が横長となるように配置されていたときの左上頂点Aが左下頂点A'へと変換されるように、つまり右下頂点Bが右上頂点B'へと変換されるように、観者が手指で表示部2を直接操作して、軸心Xを回転中心として表示部2を回動させることで、この表示装置1は、図５に示すように、表示画面20の表示方向が縦長となるように配置されることとなる。
【００３８】
尚、表示部2の回動範囲は、上記のごとく表示画面20の表示方向が横長或いは縦長となるように、回動部に設けられる図示しない係止部により調整されている。したがって、表示部2は必要以上に回転することなく、表示方向が横長或いは縦長となるような所定位置で固定される。
【００３９】
そして、表示画面20の表示方向が横長位置から縦長位置へと変わることで表示部2の配置状態が変更されて、当該表示部2が所定位置で固定されたとき、表示装置1の重心位置が変わることとなるが、支持台3の基部30の質量が錘などを備えることで表示部2の質量と略同等或いは支持台3の方が重くなるように調整されているため、表示装置1が転倒することはない。
【００４０】
また、図６に示すように、この表示装置1は、支持台3の基部30が平面視において略円形状となるように形成されているため、表示画面20の表示方向を横長（図６（ａ）参照）から縦長（図６（ｂ）参照）へと切り換えたとき、回転軸の軸心Xに対して対称となる位置に表示部2が配置されて、支持台3との配置関係が変わることがないため、デザイン上の特徴が保持されて、観者に違和感を与えさせない外観を保つことができる。
【００４１】
つまり、この表示装置1は、図５に示したように、表示画面20が縦長へと変換されたときにも、図１及び図２に示した横長における表示装置1が具備する特徴、即ち、回転軸の配置角度、支持台3に対する表示部2の配置関係、及び保持アーム21の位置等の特徴を備えることとなる。
【００４２】
このように、本発明によれば、回転部の機構をシンプルな構成とするとともに、表示部2の表示画面20の表示方向（横長或いは縦長）を変えてもデザイン上の特徴を崩すことなく観者に違和感を与えさせない外観を保つことのできる表示装置1を提供することができる。
【００４３】
また、保持アーム21は、表示部2の隅部から斜め下方に延在し、更に後方へ向って曲がるように延在している。このため、表示装置1は、常に保持アーム21を表示部2の斜め下方に位置させるようにして表示部2を縦長或いは横長に変化させることができる。更に、当該保持アーム21の裏面が接続アーム31の外面と対向するように配置されて、保持アーム21の裏面及び接続アーム31の外面が回転面となるように回転部が形成されている。これにより、回転軸を表示画面20に対して所定の角度となるように配設して、表示画面20が所定の表示方向となるように表示部2を回転させることができる。また、表示部2と支持台3とが、一体的な外観を構成して、表示装置1の外観性を向上させることができる。
【００４４】
更に、保持アーム21を表示部2の隅部から斜め４５度方向に延在させることで、表示方向が切り換わったときにも、保持アーム21の表示画面20に対する角度は変わることなく４５度であるため、表示画面20の切り換えに伴う外観上の変化を抑えて、統一的なデザイン性を表示画面20の切り換え前後において保持することができる。
【００４５】
そして、この表示装置1の表示部2における表示画面20の周囲側面には、タッチパネル24a、24bが配設されているため、観者は、表示画面20の画像を見ながら、次々に写真を切り換えたり、各種の設定をするための操作を容易に行うことができる。
【００４６】
また、本発明は、以上の実施例に限定されるものでなく、発明の要旨を逸脱しない範囲で自由に変更、改良が可能である。例えば、この表示装置1は、デジタルフォトスタンドとして用いる場合に限定されることなく、サイズを大きくするなどして、パーソナルコンピュータに用いられるモニタとして使用可能な構成とすることとしてもよい。
【符号の説明】
【００４７】
1        表示装置  
2        表示部
3        支持台  
20        表示画面
21        保持アーム
24a、24b  タッチパネル
30        基部
31        接続アーム
【図１】
2011013319.tif 000003
【図２】
2011013319.tif 000004
【図３】
2011013319.tif 000005
【図４】
2011013319.tif 000006
【図５】
2011013319.tif 000007
【図６】
2011013319.tif 000008